(57)【要約】【課題】発光素子の温度が高くなることを抑制することと、光取出し効率を向上することとを両立する上で有利になる照明装置を提供する。【解決手段】照明装置１Ａは、通気孔２ａを有する板状のベース２と、ベース２の一面側に配置され、発光素子３を有する光源基板４と、ベース２の他面側に配置された放熱フィン５と、光源基板４を覆う透光カバー７とを備える。透光カバー７の少なくとも一部は、外側に凸となるように湾曲している。通気孔２ａを空気が通過可能である。【選択図】図２
2020170598.tif 000002
【特許請求の範囲】
【請求項１】
通気孔を有する板状のベースと、
前記ベースの一面側に配置され、発光素子を有する光源基板と、
前記ベースの他面側に配置された放熱フィンと、
前記光源基板を覆う透光カバーと、
を備え、
前記透光カバーの少なくとも一部は、外側に凸となるように湾曲しており、
前記通気孔を空気が通過可能である照明装置。
【請求項２】
前記透光カバーは、前記通気孔につながる通気開口を有し、
前記通気開口及び前記通気孔を空気が通過可能である請求項１に記載の照明装置。
【請求項３】
前記透光カバーは、内周部を有し、
前記通気孔の中心を通り前記ベースに垂直な直線は、通気孔中心線であり、
前記発光素子から発せられる光線であって前記通気孔中心線と交差する方向の光線は、交差光線であり、
前記交差光線のうち、前記発光素子から発せられる光の最大光度の方向に対して１／２の光度になる方向の光線は、１／２ビームであり、
前記１／２ビームが前記内周部を透過して前記透光カバーの外へ出射可能である請求項１または請求項２に記載の照明装置。
【請求項４】
前記通気孔中心線を含む平面で切断した断面において、前記透光カバーは、前記通気孔中心線に対して互いに反対側の位置にある一対の断面部を有し、
前記透光カバーは、前記１／２ビームが一方の前記断面部を透過して前記透光カバーの外へ出射した光線が他方の前記断面部に当たらない形状を有する請求項３に記載の照明装置。
【請求項５】
前記透光カバーの内面に入射する前記１／２ビームの入射角度が３０度以下である請求項３または請求項４に記載の照明装置。
【請求項６】
前記透光カバーは、内周部を有し、
前記通気孔の中心を通り前記ベースに垂直な直線は、通気孔中心線であり、
前記発光素子から発せられる光線のうち前記通気孔中心線と交差する方向の光線は、交差光線であり、
前記通気孔中心線との間の角度が４５度になる前記交差光線が前記内周部を透過して前記透光カバーの外へ出射可能である請求項１または請求項２に記載の照明装置。
【請求項７】
前記透光カバーは、
前記光源基板と向かい合い、外側に凸となるように湾曲した湾曲部と、
前記通気孔と前記光源基板との間の位置から前記ベースの前記一面側へ突出し、前記湾曲部の一端につながる内周壁と、
前記光源基板よりも外側の位置から前記ベースの前記一面側へ突出し、前記湾曲部の他端につながる外周壁とを備える請求項１から請求項６のいずれか一項に記載の照明装置。
【請求項８】
前記通気孔の中心を通り前記ベースに垂直な直線は、通気孔中心線であり、
前記通気孔中心線を含む平面で切断した断面において、前記透光カバーは、前記通気孔中心線に対して互いに反対側の位置にある一対の断面部を有し、
前記一対の断面部のそれぞれは、外側に凸となる曲線に沿う形状を有する請求項１から請求項６のいずれか一項に記載の照明装置。
【請求項９】
前記通気孔の中心を通り前記ベースに垂直な直線は、通気孔中心線であり、
前記通気孔中心線を含む平面で切断した断面において、前記透光カバーは、前記通気孔中心線に対して互いに反対側の位置にある一対の断面部を有し、
前記一対の断面部のそれぞれは、半円形の形状を有する請求項１から請求項６のいずれか一項に記載の照明装置。
【請求項１０】
前記通気孔の直径が前記ベースの直径の１／２以下である請求項１から請求項９のいずれか一項に記載の照明装置。
【発明の詳細な説明】
【技術分野】
【０００１】
本発明は、照明装置に関する。
【背景技術】
【０００２】
例えば発光ダイオードのような発光素子を用いた照明装置が広く用いられている。発光素子の発熱により発光素子の温度が高くなると、エネルギー効率が低下したり、発光素子の寿命が短くなったりする。特許文献１には、光半導体照明装置において、光源モジュールから発生された熱を放出させるヒートシンクが、ヒートシンク通風口を含むベース板と、ベース板から突出された放熱突起とを含むことが開示されている。
【先行技術文献】
【特許文献】
【０００３】
【特許文献１】特開２０１２−１５１１３４号公報
【発明の概要】
【発明が解決しようとする課題】
【０００４】
特許文献１の光半導体照明装置は、光源モジュールを覆う平板状の拡散板を有しているが、光取出し効率を向上しにくいという課題がある。
【０００５】
本発明は、上述のような課題を解決するためになされたもので、発光素子の温度が高くなることを抑制することと、光取出し効率を向上することとを両立する上で有利になる照明装置を提供することを目的とする。
【課題を解決するための手段】
【０００６】
本発明に係る照明装置は、通気孔を有する板状のベースと、ベースの一面側に配置され、発光素子を有する光源基板と、ベースの他面側に配置された放熱フィンと、光源基板を覆う透光カバーと、を備え、透光カバーの少なくとも一部は、外側に凸となるように湾曲しており、通気孔を空気が通過可能であるものである。
【発明の効果】
【０００７】
本発明によれば、発光素子の温度が高くなることを抑制することと、光取出し効率を向上することとを両立する上で有利になる照明装置を提供することが可能となる。
【図面の簡単な説明】
【０００８】
【図１】実施の形態１による照明装置の斜視図である。
【図２】実施の形態１による照明装置の断面図である。
【図３】図２の一部を拡大した断面図である。
【図４】実施の形態２による照明装置を、灯軸を含む平面で切断した断面図である。
【図５】図４に示す照明装置の一部を示す断面斜視図である。
【図６】参考例の照明装置を、灯軸を含む平面で切断した断面図である。
【図７】実施の形態３による照明装置を、灯軸を含む平面で切断した断面図である。
【図８】実施の形態４による照明装置を、灯軸を含む平面で切断した断面図である。
【図９】実施の形態４による照明装置を、灯軸を含む平面で切断した断面斜視図である。
【図１０】ランバート配光を示す図である。
【発明を実施するための形態】
【０００９】
以下、図面を参照して実施の形態について説明する。各図において共通または対応する要素には、同一の符号を付して、重複する説明を簡略化または省略する。なお、本開示で角度に言及した場合において、和が３６０度となる優角と劣角とがあるときには原則として劣角の角度を指すものとし、和が１８０度となる鋭角と鈍角とがある場合には原則として鋭角の角度を指すものとする。
【００１０】
実施の形態１．
図１は、実施の形態１による照明装置１Ａの斜視図である。図２は、実施の形態１による照明装置１Ａの断面図である。図２に示すように、照明装置１Ａは、板状のベース２と、発光素子３を有する光源基板４と、放熱フィン５と、透光カバー７とを備える。
【００１１】
本実施の形態におけるベース２は、平板状の形状を有している。ベース２には、通気孔２ａが形成されている。通気孔２ａは、ベース２の中央に位置する。
【００１２】
本実施の形態では、通気孔２ａの中心を通りベース２に垂直な直線である通気孔中心線のことを「灯軸ＡＸ」と称する。また、灯軸ＡＸに平行な方向を「灯軸方向」と称する。本実施の形態における灯軸ＡＸは、照明装置１Ａの中心線に相当している。図２は、灯軸ＡＸを含む平面で切断した断面図に相当している。
【００１３】
本実施の形態の照明装置１Ａは、例えば天井に設置され、下へ向けて光を照射することで、照明装置１Ａよりも下の空間を照らす用途に適している。特に、照明装置１Ａは、工場、倉庫、体育館、競技施設などの高い天井に設置して使用することに適している。以下では、説明の便宜上、灯軸ＡＸが鉛直線に平行となるように照明装置１Ａが設置されている場合の姿勢を基準として上下の方向を特定する。ただし、照明装置１Ａが使用されるときの姿勢は、灯軸ＡＸが鉛直線に対して非平行となる姿勢でもよいことは言うまでもない。
【００１４】
光源基板４は、ベース２の一面側すなわち下面側に配置されている。発光素子３は、光源基板４の下面に配置されている。本実施の形態では、複数の発光素子３が１個の光源基板４上に実装されている。光源基板４には、複数の発光素子３に給電するための導電パターンが形成されている。本実施の形態において、それぞれの発光素子３の光軸は、灯軸ＡＸに平行である。光源基板４は、通気孔２ａを避けるように配置されている。図示の例では、光源基板４は、通気孔２ａを避けるための、通気孔２ａよりも大きい孔を有している。
【００１５】
光源基板４は、ベース２の下面に対して熱伝導可能となるように設けられている。発光素子３で発生した熱は、光源基板４からベース２へ熱伝導する。光源基板４は、ベース２の下面に対して、直接接していてもよいし、熱伝導性材料を介して接触してもよい。本明細書において、熱伝導性材料は、例えば、熱伝導性グリス、熱伝導性シート、熱伝導性接着剤、熱伝導性両面粘着テープのいずれかでもよい。
【００１６】
発光素子３は、発光ダイオード（ＬＥＤ）を利用したものでもよい。例えば、表面実装型ＬＥＤパッケージ、砲弾型ＬＥＤパッケージ、配光レンズ付きＬＥＤパッケージ、チップ・スケール・パッケージのＬＥＤ、チップ・オン・ボード（ＣＯＢ）タイプのＬＥＤパッケージのうちの少なくとも一種を用いてもよい。また、発光素子３は、ＬＥＤを利用したものに限らず、例えば、有機エレクトロルミネセンス（ＥＬ）素子または半導体レーザなどを利用したものでもよい。
【００１７】
放熱フィン５は、ベース２の他面側すなわち上面側に配置されている。発光素子３及び光源基板４からベース２へ伝導した熱は、ベース２から放熱フィン５へさらに伝導する。ベース２及び放熱フィン５は、ヒートシンクに相当する。ベース２及び放熱フィン５の表面から周囲の空気へ熱が散逸することにより、発光素子３が冷却される。放熱フィン５は、ベース２の上面から突出している。図示の例では、放熱フィン５は、板状の形状を有しており、ベース２の上面に対して垂直となる姿勢で配置されている。放熱フィン５によって放熱面積を大きくすることで、発光素子３で発生した熱を効率良く散逸させることができる。
【００１８】
ベース２及び放熱フィン５のそれぞれは、例えば、金属材料あるいは熱伝導性樹脂材料のような、高い熱伝導率を有する材料で作られていることが好ましい。熱伝導性樹脂材料は、熱伝導性フィラーが樹脂材料に練り込まれたものでもよい。ベース２及び放熱フィン５は、別々の部品として作られたものでもよいし、例えばアルミダイキャストなどによりベース２及び放熱フィン５を一体的に形成してもよい。
【００１９】
透光カバー７は、光源基板４を覆っている。発光素子３から発せられた光は、透光カバー７を透過して、外部空間へ照射される。図示の構成では、透光カバー７は、その外周部に配置されたネジ１０により、ベース２に対して固定されている。発光素子３及び光源基板４は、ベース２及び透光カバー７により囲まれる内部空間に位置する。本実施の形態であれば、透光カバー７を備えたことで、発光素子３及び光源基板４を、埃などの汚れ、あるいは虫その他の小動物などから確実に保護することができる。透光カバー７は、光を正透過させる、透明材料で作られていてもよい。または、透光カバー７は、光を拡散透過させるものでもよい。透光カバー７は、例えば、ポリカーボネート樹脂、アクリル系樹脂、ポリスチレン樹脂などの樹脂材料、またはガラス材料で作られていてもよい。ベース２及び透光カバー７により囲まれる内部空間を防水するために、部材同士の接合部に、防水性を有するシール材または接着剤が設けられてもよい。
【００２０】
図２に示すように、透光カバー７は、通気孔２ａにつながる通気開口７ａを有している。通気開口７ａは、通気孔２ａに対応した位置に形成されている。図示の例では、通気開口７ａは、通気孔２ａに等しい形状及び開口面積を有している。
【００２１】
図２中には、照明装置１Ａの使用時における空気の流れを模式的に示す流線が記されている。図２に示すように、照明装置１Ａの使用時には、通気孔２ａ及び通気開口７ａを空気が通過するように気流が発生する。これにより、ベース２及び放熱フィン５により形成されるヒートシンクの内部を流れる空気の量を多くすることができるので、放熱能力が向上し、発光素子３を冷却する上で有利になる。その結果、発光素子３の温度が高くなることを確実に抑制できるので、発光素子３の効率を向上することができるとともに、発光素子３の寿命を長くすることができる。空気は、通気開口７ａ及び通気孔２ａを通って、透光カバー７の下の空間と、ベース２の上面側の空間との間を移動できる。図２の例では、透光カバー７よりも下の空間から流入した新鮮な空気が通気開口７ａ及び通気孔２ａを通過してベース２の上面側へ流れる上昇気流が発生する。また、照明装置１Ａの外周側の空間からも、新鮮な空気がヒートシンクの内部に流入する。
【００２２】
図３は、図２の一部を拡大した断面図である。図３に示すように、透光カバー７の少なくとも一部は、その外面が凸曲面となっている。本実施の形態では、透光カバー７は、外側に凸となるように湾曲した湾曲部７ｂを有している。湾曲部７ｂは、光源基板４と向かい合うように位置する。
【００２３】
図３中の光線Ｒ１，Ｒ２，Ｒ３は、発光素子３から発せられる光線の例である。光線Ｒ１は、灯軸方向へ向かって発せられる光線である。光線Ｒ２は、灯軸ＡＸと交差する方向へ発せられる光線の例である。光線Ｒ３は、灯軸ＡＸに対して斜めであって、灯軸ＡＸから離れる方向へ発せられる光線である。光線Ｒ１，Ｒ２，Ｒ３は、湾曲部７ｂの内面に入射する。
【００２４】
以下の説明では、照明装置１Ａが備えるすべての発光素子３から発せられた光の量に対する、照明装置１Ａから外部空間へ照射される光の量の割合を光取出し効率［％］と称する。一般に、面に入射する光の入射角度は、面の法線と入射光の方向とのなす角度として定義される。発光素子３からの光が透光カバー７に入射する際には、フレネルの式に従い、透過成分と反射成分とに分かれる。光取り出し効率を向上させる上では、反射成分を低減し、透過成分を増加させることが望ましい。フレネルの式から、入射角度が小さいほど、透過成分が増加する。したがって、光取り出し効率を向上させる上では、発光素子３からの光が透光カバー７に入射する入射角度が小さいことが望ましい。
【００２５】
図３中の角度θ１は、湾曲部７ｂの内面の接線と光線Ｒ１との間の角度である。図示の例において、角度θ１は、９０度か、９０度に近い角度であるので、湾曲部７ｂに対する光線Ｒ１の入射角度は十分に小さくなる。比較例として、図３中の角度θ２は、光源基板４と向かい合う部分の透光カバー７がベース２に平行な平板状であったと仮定した場合における、透光カバー７の内面と光線Ｒ１との間の角度である。角度θ２は、角度θ１よりも小さくなる。したがって、この比較例においては、透光カバー７に対する光線Ｒ１の入射角度は、本実施の形態よりも大きくなるので、反射成分が増加する。その結果、光取り出し効率を向上させることが困難となる。
【００２６】
これとは対照的に、本実施の形態であれば、外側に凸となるように湾曲した部分である湾曲部７ｂを透光カバー７に設けたことで、湾曲部７ｂに対する光線Ｒ１の入射角度を十分に小さくすることができる。さらに、湾曲部７ｂに対する光線Ｒ２及び光線Ｒ３の入射角度も十分に小さくすることができる。その結果、光取り出し効率を向上させる上で有利になり、ひいては照明装置１Ａの消費効率［ｌｍ／Ｗ］を向上させる上で有利になる。
【００２７】
図示の例では、図３の断面において、湾曲部７ｂは、円弧に沿うように湾曲している。本実施の形態では、図３の切断面上に、灯軸ＡＸからの距離が互いに異なる複数の発光素子３が並んでいる。このような場合には、図３の切断面上に並ぶ複数の発光素子３のうちの中央の発光素子３から灯軸方向へ発せられた光線の湾曲部７ｂに対する入射角度が０度または０度に近い角度になるように、湾曲部７ｂを形成してもよい。
【００２８】
本実施の形態における透光カバー７は、内周部に相当する内周壁７ｃと、外周部に相当する外周壁７ｄとを備えている。内周壁７ｃは、通気孔２ａと光源基板４との間の位置からベース２の一面側すなわち下面側へ突出し、湾曲部７ｂの一端につながっている。外周壁７ｄは、光源基板４よりも外側の位置からベース２の一面側すなわち下面側へ突出し、湾曲部７ｂの他端につながっている。
【００２９】
光取り出し効率を向上させる上では、一般的に、発光素子３と透光カバー７との距離が大きい方が有利になる。本実施の形態であれば、内周壁７ｃ及び外周壁７ｄを備えたことで、発光素子３と湾曲部７ｂとの距離を大きくすることができる。その結果、光取り出し効率を向上させる上でより有利になる。
【００３０】
図示の例では、内周壁７ｃ及び外周壁７ｄは、灯軸ＡＸに対して平行である。すなわち、内周壁７ｃ及び外周壁７ｄのそれぞれは、灯軸ＡＸを中心とする円柱面に沿う形状を有している。このような構成に限らず、内周壁７ｃ及び外周壁７ｄのそれぞれは、灯軸ＡＸに対して傾斜していてもよい。例えば、内周壁７ｃ及び外周壁７ｄのそれぞれは、灯軸ＡＸを中心とする円錐面に沿う形状を有していてもよい。
【００３１】
以下の説明では、発光素子３から発せられる光線のうち、灯軸ＡＸと交差する方向の光線を「交差光線」と称する。なお、本実施の形態のように、図３の切断面上に並ぶ複数の発光素子３がある場合には、交差光線は、灯軸ＡＸに最も近い発光素子３からの光線であるものとする。
【００３２】
図３中の角度θ３は、交差光線Ｒ４と灯軸ＡＸとの間の角度である。本実施の形態では、角度θ３が４５度となる交差光線Ｒ４が内周壁７ｃを透過して透光カバー７の外へ出射可能である。これにより、光取り出し効率を向上させる上でより有利になる。
【００３３】
さらに、角度θ３が５０度となる交差光線Ｒ４が内周壁７ｃを透過して透光カバー７の外へ出射可能となるように構成してもよいし、角度θ３が６０度となる交差光線Ｒ４が内周壁７ｃを透過して透光カバー７の外へ出射可能となるように構成してもよい。そのようにすることで、光取り出し効率がさらに向上する。
【００３４】
以下の説明では、交差光線Ｒ４のうち、発光素子３から発せられる光の最大光度の方向に対して１／２の光度になる方向の光線を「１／２ビーム」と称する。例えば、発光素子３が図１０に示すランバート配光を有するものである場合には、角度θ３が６０度となる交差光線Ｒ４が１／２ビームに相当する。本実施の形態では、１／２ビームが内周壁７ｃを透過して透光カバー７の外へ出射可能である。これにより、光取り出し効率を向上させる上でより有利になる。
【００３５】
図１に示すように、本実施の形態において、ベース２の外縁は、灯軸方向から見たときに、正方形の角が丸められた形状を有する。このような例に限らず、灯軸方向から見たときのベース２の外縁の形状は、円形でもよいし、楕円形でもよいし、三角形、五角形、六角形、八角形のような多角形でもよい。また、本実施の形態における光源基板４の外縁及び透光カバー７の外縁のそれぞれは、灯軸方向から見たときに円形の形状を有する。このような例に限らず、灯軸方向から見たときの光源基板４の外縁及び透光カバー７の外縁のそれぞれの形状は、例えば、正方形、長方形、三角形、五角形、六角形、八角形のような多角形でもよいし、楕円形でもよい。
【００３６】
本実施の形態では、複数の板状の放熱フィン５が、灯軸ＡＸを中心とした放射状に配置されている。このような例に限らず、複数の板状の放熱フィン５が互いに平行に配置されてもよいし、ピン形の形状を有するピンフィンを放熱フィン５として用いてもよい。
【００３７】
本実施の形態において、通気孔２ａの直径は、ベース２の外縁の直径の１／２以下である。これにより、光源基板４を配置可能な領域の面積を大きくする上で有利になる。同様の理由から、通気孔２ａの直径は、ベース２の外縁の直径の１／３以下がより好ましく、ベース２の外縁の直径の１／４以下がさらに好ましい。また、通気孔２ａを通過する空気の流量を十分に大きくする観点からは、通気孔２ａの直径は、ベース２の外縁の直径の１／２０以上が好ましく、ベース２の外縁の直径の１／１５以上がより好ましい。なお、本開示において、「直径」とは、円形以外の形状である場合には、軸に対して垂直な方向の最大の径を指すものとする。
【００３８】
図１に示すように、本実施の形態における照明装置１Ａは、ベース２の縁部に取り付けられた一対のフレーム１１を備える。一対のフレーム１１は、ベース２を間に挟むように配置されている。図示の例では、フレーム１１は、ネジ１０によりベース２に対して固定されている。フレーム１１と透光カバー７とがネジ１０によりベース２に対して共締めされている。ベース２に対してフレーム１１を固定する方法は、図示の例に限らず、例えば、凹凸の嵌合による構造、溶接、ろう接、接着などいかなる方法でもよい。フレーム１１は、ベース２の縁部から上方へ突出している。
【００３９】
本実施の形態における照明装置１Ａは、アーム１２を備える。アーム１２は、フレーム１１に連結されている。アーム１２は、フレーム１１を介してベース２を支持する。アーム１２は、細長い板状の基部１２ａと、基部１２ａの両端から突出する一対の支持部１２ｂとを有する。例えば建物の天井面または梁のような取付面に対して基部１２ａをボルトなどにより固定することで、照明装置１Ａを取付面に対して固定することができる。
【００４０】
アーム１２は、金属板を曲げ加工することにより作られていてもよい。一対の支持部１２ｂは、基部１２ａの長手方向に対して垂直な方向に突出する。一対の支持部１２ｂの先端部分は、２本のボルト１３，１４により、一対のフレーム１１に対してそれぞれ固定されている。各支持部１２ｂの先端部分には、ボルト１３を中心とする円弧状に湾曲した長孔１２ｃが形成されている。ボルト１４は、長孔１２ｃに挿通されている。
【００４１】
図示の例では、アーム１２の基部１２ａの面が灯軸方向に対して垂直になっている。すなわち、基部１２ａの面は、光源基板４及びベース２に対して平行になっている。天井面または梁のような取付面が水平である場合には、図示の状態で基部１２ａを取付面に対して固定することにより、光源基板４及びベース２が水平になるように照明装置１Ａを設置できる。基部１２ａは、例えばボルト止めにより、取付面に対して固定されてもよい。図示の例では、ボルトを挿通するための孔が基部１２ａに形成されている。
【００４２】
ボルト１３，１４を緩めると、アーム１２が、フレーム１１に対して、ボルト１３を中心として所定角度範囲で回転可能になる。アーム１２を回転させた後にボルト１３，１４を再び締め付けると、アーム１２の基部１２ａの面が光源基板４及びベース２に対して傾斜した状態にすることができる。天井面または梁のような取付面が水平面に対して傾斜している場合には、そのような状態で基部１２ａを取付面に対して固定することにより、光源基板４及びベース２が水平になるように照明装置１Ａを設置できる。
【００４３】
灯軸方向から見たときの通気孔２ａ及び通気開口７ａのそれぞれの形状は、例えば、円形、多角形、または楕円形でもよい。
【００４４】
照明装置１Ａは、電源装置（図示省略）を備えていてもよい。電源装置は、発光素子３を点灯させる直流電力を生成する点灯回路を備える。電源装置の点灯回路は、例えば商用電源から供給される交流電力から直流電力を生成する電源回路を含む。または、照明装置１Ａは、上記のような電源装置を備えないものでもよい。すなわち、照明装置１Ａは、照明装置１Ａの外部に配置された電源装置から直流電力の供給を受けることによって発光素子３を点灯させるものでもよい。また、照明装置１Ａは、ヒートシンクへ送風するファン（図示省略）を備えていてもよい。
【００４５】
図示の例では、光源基板４及び透光カバー７のそれぞれは、灯軸ＡＸを中心とする周方向の全周にわたって環状につながった形状を有している。図示の例に限らず、光源基板４及び透光カバー７のそれぞれは、灯軸ＡＸを中心とする周方向に関して、複数の部位に分割された形状を有するものでもよい。
【００４６】
図示の例では、一つのベース２に対して一組の光源基板４及び透光カバー７が設けられている。図示の例に限らず、例えば、一つのベース２の複数個所に通気孔２ａが設けられ、その複数の通気孔２ａのそれぞれに対して、光源基板４及び透光カバー７の組が備えられていてもよい。
【００４７】
実施の形態２．
次に、図４から図６を参照して、実施の形態２について説明するが、前述した実施の形態１との相違点を中心に説明し、前述した要素と共通または対応する要素には、同一の符号を付して、重複する説明を簡略化または省略する。図４は、実施の形態２による照明装置１Ｂを、灯軸ＡＸを含む平面で切断した断面図である。図５は、図４に示す照明装置１Ｂの一部を示す断面斜視図である。図５では、フレーム１１及びアーム１２の図示が省略されている。
【００４８】
図４の断面において、透光カバー７は、灯軸ＡＸに対して互いに反対側の位置にある一対の断面部７ｅ，７ｆを有している。断面部７ｅと断面部７ｆとは、灯軸ＡＸを対称軸として線対称となる形状を有している。断面部７ｅ，７ｆのそれぞれは、湾曲部７ｂと内周壁７ｃと外周壁７ｄとを含む。本実施の形態における透光カバー７は、１／２ビームが一方の断面部７ｅの内周壁７ｃを透過して透光カバー７の外へ出射した光線Ｒ５が、他方の断面部７ｆに当たらない形状を有している。すなわち、光線Ｒ５は、断面部７ｆの外面から離れた位置を通過する。図示の例では、光線Ｒ５と断面部７ｆとの最短距離の位置は、断面部７ｆの湾曲部７ｂ上にある。なお、発光素子３がランバート配光を有するものである場合には、図４中の角度θ４は、１２０度となる。
【００４９】
本実施の形態であれば、１／２ビームが一方の断面部７ｅの内周壁７ｃを透過して透光カバー７の外へ出射した光線Ｒ５が、他方の断面部７ｆから透光カバー７内へ入射することがないので、光取り出し効率を向上させる上でより有利になる。なお、上述した関係は、断面部７ｅと断面部７ｆとを入れ換えた場合にも成立する。
【００５０】
図６は、参考例の照明装置１００を、灯軸ＡＸを含む平面で切断した断面図である。図６に示す参考例の照明装置１００は、灯軸方向についての透光カバー７の寸法（以下、「透光カバー７の高さ」と称する）が、実施の形態２による照明装置１Ｂよりも大きい。すなわち、参考例の照明装置１００における内周壁７ｃ及び外周壁７ｄの灯軸方向についての長さは、実施の形態２による照明装置１Ｂよりも大きい。
【００５１】
参考例の照明装置１００では、１／２ビームが一方の断面部７ｅの内周壁７ｃを透過して透光カバー７の外へ出射した光線Ｒ６が、他方の断面部７ｆの内周壁７ｃに当たり、当該内周壁７ｃを透過して透光カバー７内へ入射する。このため、１／２ビームを照明装置１００の外部空間へ効率良く取り出すことができない。その結果、実施の形態２による照明装置１Ｂと比べて、光取り出し効率を向上させる上で不利になる。
【００５２】
これに対し、実施の形態２による照明装置１Ｂでは、透光カバー７の高さが参考例の照明装置１００よりも低く、透光カバー７の外へ出射した１／２ビームが再び透光カバー７内へ戻ることがないので、１／２ビームを効率良く取り出すことができる。
【００５３】
実施の形態３．
次に、図７を参照して、実施の形態３について説明するが、前述した実施の形態との相違点を中心に説明し、前述した要素と共通または対応する要素には、同一の符号を付して、重複する説明を簡略化または省略する。図７は、実施の形態３による照明装置１Ｃを、灯軸ＡＸを含む平面で切断した断面図である。
【００５４】
図７に示す照明装置１Ｃは、前述した実施の形態における透光カバー７に代えて、透光カバー７Ｃを有している。本実施の形態における透光カバー７Ｃは、前述した実施の形態における内周壁７ｃ及び外周壁７ｄを有していない。透光カバー７Ｃは、内周部７ｉを有している。
【００５５】
図７の断面において、透光カバー７は、灯軸ＡＸに対して互いに反対側の位置にある一対の断面部７ｇ，７ｈを有している。断面部７ｇと断面部７ｈとは、灯軸ＡＸを対称軸として線対称となる形状を有している。断面部７ｇ，７ｈのそれぞれは、外側に凸となる曲線に沿う形状を有している。
【００５６】
断面部７ｇ，７ｈのそれぞれは、内周部７ｉを含む。断面部７ｇ，７ｈのそれぞれは、内周部７ｉを含めた全体が、一つの滑らかな曲線に沿う形状を有している。例えば、断面部７ｇの全体と、断面部７ｈの全体とは、それぞれ、円弧に沿う形状を有していてもよい。内周部７ｉは、灯軸ＡＸに対して傾斜している。内周部７ｉと灯軸ＡＸとの距離は、ベース２から遠ざかるにつれて、拡大する。
【００５７】
本実施の形態における透光カバー７Ｃは、１／２ビームが一方の断面部７ｇの内周部７ｉを透過して透光カバー７Ｃの外へ出射した光線Ｒ７が、他方の断面部７ｈに当たらない形状を有している。すなわち、光線Ｒ７は、断面部７ｈの外面から離れた位置を通過する。本実施の形態であれば、１／２ビームが一方の断面部７ｇの内周部７ｉを透過して透光カバー７Ｃの外へ出射した光線Ｒ７が、他方の断面部７ｈから透光カバー７Ｃ内へ入射することがないので、光取り出し効率を向上させる上でより有利になる。なお、上述した関係は、断面部７ｇと断面部７ｈとを入れ換えた場合にも成立する。
【００５８】
また、本実施の形態であれば、透光カバー７Ｃの内面に入射する１／２ビームの入射角度を、前述した実施の形態よりも小さくすることができる。このため、１／２ビームの透過成分がさらに増加し、光取出し効率がさらに向上する。この効果をより確実に奏するために、透光カバー７Ｃの内周部７ｉの内面に入射する１／２ビームの入射角度は、３０度以下が好ましく、２５度以下がより好ましく、２０度以下がさらに好ましい。
【００５９】
実施の形態４．
次に、図８及び図９を参照して、実施の形態４について説明するが、前述した実施の形態との相違点を中心に説明し、前述した要素と共通または対応する要素には、同一の符号を付して、重複する説明を簡略化または省略する。図８は、実施の形態４による照明装置１Ｄを、灯軸ＡＸを含む平面で切断した断面図である。図９は、実施の形態４による照明装置１Ｄを、灯軸ＡＸを含む平面で切断した断面斜視図である。
【００６０】
これらの図に示す照明装置１Ｄは、前述した実施の形態における透光カバー７に代えて、透光カバー７Ｄを有している。本実施の形態における透光カバー７Ｄは、前述した実施の形態における内周壁７ｃ及び外周壁７ｄを有していない。透光カバー７Ｄは、内周部７ｊを有している。
【００６１】
図８の断面において、透光カバー７は、灯軸ＡＸに対して互いに反対側の位置にある一対の断面部７ｋ，７ｍを有している。断面部７ｋと断面部７ｍとは、灯軸ＡＸを対称軸として線対称となる形状を有している。断面部７ｋ，７ｍのそれぞれは、内周部７ｊを含む。
【００６２】
断面部７ｋ，７ｍのそれぞれは、半円形の形状を有する。すなわち、断面部７ｋ，７ｍのそれぞれは、中心角が１８０度で、外側に凸となる円弧に沿う形状を有している。
【００６３】
レンズを有しないＬＥＤのような光源の配光は、ランバート配光に近い配光となることが一般的である。ランバート配光を有する光源を想定すると、光源を覆う透光カバーを半球形状とすることにより、光源からどの方向に発せられる光についても、透光カバーへの入射角度がほぼ０度となるので、光取出し効率が高くなる。本実施の形態であれば、断面部７ｋ，７ｍのそれぞれが半円形の形状を有することで、これと同様の効果が得られる。すなわち、図８の断面において、発光素子３からどの方向に発せられる光についても、透光カバー７Ｄに対する入射角度を小さくすることができるので、光取出し効率を向上する上でより有利になる。
【００６４】
本実施の形態における透光カバー７Ｄは、１／２ビームが一方の断面部７ｋの内周部７ｊを透過して透光カバー７Ｄの外へ出射した光線Ｒ８が、他方の断面部７ｍに当たらない形状を有している。すなわち、光線Ｒ８は、断面部７ｍの外面から離れた位置を通過する。本実施の形態であれば、１／２ビームが一方の断面部７ｋの内周部７ｊを透過して透光カバー７Ｄの外へ出射した光線Ｒ８が、他方の断面部７ｍから透光カバー７Ｄ内へ入射することがないので、光取り出し効率を向上させる上でより有利になる。なお、上述した関係は、断面部７ｋと断面部７ｍとを入れ換えた場合にも成立する。
【００６５】
なお、上述した複数の実施の形態のうち、組み合わせることが可能な二つ以上を組み合わせて実施してもよい。
【符号の説明】
【００６６】
１Ａ  照明装置、  １Ｂ  照明装置、  １Ｃ  照明装置、  １Ｄ  照明装置、  ２  ベース、  ２ａ  通気孔、  ３  発光素子、  ４  光源基板、  ５  放熱フィン、  ７  透光カバー、  ７Ｃ  透光カバー、  ７Ｄ  透光カバー、  ７ａ  通気開口、  ７ｂ  湾曲部、  ７ｃ  内周壁、  ７ｄ  外周壁、  ７ｅ，７ｆ，７ｇ，７ｈ  断面部、  ７ｉ  内周部、  ７ｊ  内周部、  ７ｋ，７ｍ  断面部、  １０  ネジ、  １１  フレーム、  １２  アーム、  １２ａ  基部、  １２ｂ  支持部、  １２ｃ  長孔、  １３，１４  ボルト、  １００  照明装置
【図１】
2020170598.tif 000003
【図２】
2020170598.tif 000004
【図３】
2020170598.tif 000005
【図４】
2020170598.tif 000006
【図５】
2020170598.tif 000007
【図６】
2020170598.tif 000008
【図７】
2020170598.tif 000009
【図８】
2020170598.tif 000010
【図９】
2020170598.tif 000011
【図１０】
2020170598.tif 000012